(57)【特許請求の範囲】
【請求項１】
上下に対向配置される野地板と、これら上下の野地板の間に配置されて上下の野地板を連結する複数の補強材とから成る屋根下地パネルにおいて、屋根下地パネルが載設される垂木の上に配置される複数の垂木上補強材と、隣り合う垂木上補強材の略中間に位置する中間補強材とを備え、垂木上補強材が３０３〜５００ｍｍの間隔を介して配置されて成ることを特徴とする屋根下地パネル。
【請求項２】
上下の野地板の少なくとも一方の内面にアルミシートを貼設して成ることを特徴とする請求項１に記載の屋根下地パネル。
【請求項３】
下の野地板の内面にアルミシートを貼設して成ることを特徴とする請求項１又は２に記載の屋根下地パネル。
【請求項４】
上下の野地板の軒側の端部間と棟側の端部間とに、上下の野地板間の空間に通気可能な支持材を設けて成ることを特徴とする請求項１乃至３のいずれか一項に記載の屋根下地パネル。
【請求項５】
請求項１乃至４のいずれか一項に記載の複数の屋根下地パネルを垂木に載設する屋根下地パネルの施工方法において、屋根の傾斜方向で隣接する屋根下地パネルのうち、一方の屋根下地パネルに対して他方の屋根下地パネルを屋根の傾斜方向と直交する方向に全長の約半分ずらして配設し、屋根下地パネルの端材を垂木の上に載設することを特徴とする屋根下地パネルの施工方法。
【請求項６】
既存屋根から野地板を除去して垂木を露出させた後、この垂木の上に屋根下地パネルを載設することを特徴とする請求項５に記載の屋根下地パネルの施工方法。
【請求項７】
上下に対向配置される野地板と、これら上下の野地板の間に配置されて上下の野地板を連結する複数の補強材とから成り、垂木の上に配置される複数の垂木上補強材と、隣り合う垂木上補強材の略中間に位置する中間補強材とを備えて成る屋根下地パネルを、前記垂木上補強材が前記垂木の上に位置し、前記中間補強材が前記垂木の上に位置しないように載設して屋根下地が形成され、前記屋根下地の上に屋根材を葺設して形成されていることを特徴とする屋根。
【請求項８】
上下の野地板の少なくとも一方の内面にアルミシートを貼設して成ることを特徴とする請求項７に記載の屋根。
【請求項９】
下の野地板の内面にアルミシートを貼設して成ることを特徴とする請求項７又は８に記載の屋根。
【請求項１０】
上下の野地板の軒側の端部間と棟側の端部間とに、上下の野地板間の空間に通気可能な支持材を設けて成ることを特徴とする請求項７乃至９のいずれか一項に記載の屋根。
【発明の詳細な説明】
【技術分野】
【０００１】
本発明は、野地板として用いられる屋根下地パネル及びその施工方法並びに屋根に関するものである。
【背景技術】
【０００２】
従来より、図７に示すように、所定の間隔で並べた複数本の垂木（４５ｍｍ×４０ｍｍ程度のもの）５０、５０…の上に野地板（厚み１２ｍｍ程度のもの）５１を載設して屋根下地が形成されており、この野地板５１の上に複数枚の屋根材を葺設して屋根が形成されている（例えば、特許文献１参照）。このような住宅の屋根の野地板は構造用合板などの合板が主流であったが、昨今、合板の高騰化や供給不安により、代替品として杉材使用の合板や集成ボードが使用されている。しかし、代替品の野地板は合板の野地板に比べて曲げ剛性が低いため撓みが大きくなり、屋根スレート等の野地剛性に影響される屋根材においては、施工中の割れなどの品質問題が懸念されている。そこで、野地板の剛性確保のために、垂木の間隔を小さくすることが考えられるが、材料の増加や施工手間の増加が生じてコストアップになり、好ましくない。
【０００３】
また、小屋裏を居室又は収納スペースとして使用する場合、屋根面に断熱構造を設ける必要があり、通常、図８に示すように、隣り合う垂木５０、５０の間において、野地板５１の下面に断熱材（厚み４０ｍｍ程度）５２を設けるようにしている。この場合、垂木の厚みを利用して断熱材５２を設けるケースが多いが、垂木の厚みには限度があり、充分な断熱性能の確保が難しいという問題があった。
【特許文献１】特開２００１−４９７８７号公報
【発明の開示】
【発明が解決しようとする課題】
【０００４】
本発明は上記の点に鑑みてなされたものであり、曲げ剛性の低い板材を用いても撓みを少なくすることができ、しかも断熱性能を確保することができる屋根下地パネル及びその施工方法並びに屋根を提供することを目的とするものである。
【課題を解決するための手段】
【０００５】
本発明の請求項１に係る屋根下地パネルＡは、上下に対向配置される野地板１、２と、これら上下の野地板１、２の間に配置されて上下の野地板１、２を連結する複数の補強材３、３…とから成る屋根下地パネルＡにおいて、屋根下地パネルＡが載設される垂木４、４の上に配置される複数の垂木上補強材３ａと、隣り合う垂木上補強材３ａ、３ａの略中間に位置する中間補強材３ｂとを備え、垂木上補強材３ａが３０３〜５００ｍｍの間隔を介して配置されて成ることを特徴とするものである。
【０００６】
本発明の請求項２に係る屋根下地パネルＡは、請求項１において、上下の野地板１、２の少なくとも一方の内面にアルミシート５を貼設して成ることを特徴とするものである。
【０００７】
本発明の請求項３に係る屋根下地パネルＡは、請求項１又は２において、下の野地板２の内面にアルミシート５を貼設して成ることを特徴とするものである。
【０００８】
本発明の請求項４に係る屋根下地パネルＡは、請求項１乃至３のいずれか一項において、上下の野地板１、２の軒側の端部間と棟側の端部間とに、上下の野地板１、２間の空間６に通気可能な支持材７を設けて成ることを特徴とするものである。
【０００９】
本発明の請求項５に係る屋根下地パネルＡの施工方法は、請求項１乃至４のいずれか一項に記載の複数の屋根下地パネルＡ、Ａ…を垂木４に載設する屋根下地パネルＡの施工方法において、屋根の傾斜方向で隣接する屋根下地パネルＡ、Ａのうち、一方の屋根下地パネルＡに対して他方の屋根下地パネルＡを屋根の傾斜方向と直交する方向に全長の約半分ずらして配設し、屋根下地パネルＡの端材８を垂木４の上に載設することを特徴とするものである。
【００１０】
本発明の請求項６に係る屋根下地パネルＡの施工方法は、請求項５において、既存屋根から野地板を除去して垂木４を露出させた後、この垂木４の上に屋根下地パネルＡを載設することを特徴とするものである。
本発明の請求項７に係る屋根は、上下に対向配置される野地板１、２と、これら上下の野地板１、２の間に配置されて上下の野地板１、２を連結する複数の補強材３、３…とから成り、垂木４、４の上に配置される複数の垂木上補強材３ａと、隣り合う垂木上補強材３ａ、３ａの略中間に位置する中間補強材３ｂとを備えて成る屋根下地パネルＡを、前記垂木上補強材３ａが前記垂木４の上に位置し、前記中間補強材３ｂが前記垂木４の上に位置しないように載設して屋根下地が形成され、前記屋根下地の上に屋根材を葺設して形成されていることを特徴とするものである。
本発明の請求項８に係る屋根は、請求項７において、上下の野地板１、２の少なくとも一方の内面にアルミシート５を貼設して成ることを特徴とするものである。
本発明の請求項９に係る屋根は、請求項７又は８において、下の野地板２の内面にアルミシート５を貼設して成ることを特徴とするものである。
本発明の請求項１０に係る屋根は、請求項７乃至９のいずれか一項において、上下の野地板１、２の軒側の端部間と棟側の端部間とに、上下の野地板１、２間の空間６に通気可能な支持材７を設けて成ることを特徴とするものである。
【発明の効果】
【００１１】
請求項１の発明では、曲げ剛性の比較的低い薄板及び昨今増加している集成材のボードでも垂木上補強材３ａと中間補強材３ｂとからなる補強材３により補強して剛性をアップすることが可能であり、曲げ剛性の低い板材を用いても撓みを少なくすることができて野地板として使用することができるものであり、しかも上下の野地板１、２の間の空間６を断熱層とすることができ、断熱性能を確保することができるものである。
【００１２】
請求項２の発明では、熱反射機能が高いアルミシート５が野地板１、２の内側に貼設されていることにより、アルミシート５による熱反射効果が生じると共に、上下の野地板１、２の間の空間６に滞留された熱がこの空間６を通って上方の棟部に排出されることになり、断熱性能を高くすることができるものである。
【００１３】
請求項３の発明では、上下の野地板１、２の間の空間６でアルミシート５により空気が熱せられやすくなり、この空間６を通って上昇気流により上方の棟部に熱せられた空気が効率よく排出されるものである。
【００１４】
請求項４の発明では、支持材７により上下の野地板１、２の軒側の端部と棟側の端部とを支持しながら空間６への通気性を確保することができ、例えば、隅棟部への使用のために切断することにより補強材３を欠損しても支持材７で補強することができ、剛性を確保することができるものである。
【００１５】
請求項５の発明では、屋根下地パネルＡの端材８を再利用することができ、損失を少なくしてコストダウンを図ることができるものである。
【００１６】
請求項６の発明では、既存屋根の垂木４を利用しながら屋根の改修を行うことができ、低コストでリフォームを行うことができるものである。
請求項７の発明では、曲げ剛性の比較的低い薄板及び昨今増加している集成材のボードでも垂木上補強材３ａと中間補強材３ｂとからなる補強材３により補強して剛性をアップすることが可能であり、曲げ剛性の低い板材を用いても撓みを少なくすることができて野地板として使用することができるものであり、しかも上下の野地板１、２の間の空間６を断熱層とすることができ、断熱性能を確保することができるものである。
請求項８の発明では、熱反射機能が高いアルミシート５が野地板１、２の内側に貼設されていることにより、アルミシート５による熱反射効果が生じると共に、上下の野地板１、２の間の空間６に滞留された熱がこの空間６を通って上方の棟部に排出されることになり、断熱性能を高くすることができるものである。
請求項９の発明では、上下の野地板１、２の間の空間６でアルミシート５により空気が熱せられやすくなり、この空間６を通って上昇気流により上方の棟部に熱せられた空気が効率よく排出されるものである。
請求項１０の発明では、支持材７により上下の野地板１、２の軒側の端部と棟側の端部とを支持しながら空間６への通気性を確保することができ、例えば、隅棟部への使用のために切断することにより補強材３を欠損しても支持材７で補強することができ、剛性を確保することができるものである。
【発明を実施するための最良の形態】
【００１７】
以下、本発明を実施するための最良の形態を説明する。
【００１８】
本発明で用いる野地板１、２は合板や集成材のボードなどである。この野地板１、２は、従来から野地板として用いられている板材（厚み約１２ｍｍ）よりも比較的薄いものを用いることができ、例えば、厚み６〜９ｍｍとすることができる。野地板１、２の大きさは、所望の屋根下地パネルＡの大きさ等に応じて適宜設定可能であり、例えば、１８２０ｍｍ（６尺）×９１０ｍｍ（３尺）の大きさの屋根下地パネルＡを形成する場合は、野地板１、２の大きさも１８２０ｍｍ×９１０ｍｍとする。尚、屋根下地パネルＡのサイズを６尺×３尺にすると、屋根作業者にとって扱いやすいものとなり、好ましい。尚、図面において、屋根下地パネルＡの長手寸法をＬ、短手寸法をＳとして示す。
【００１９】
野地板１、２の片面であって、屋根下地パネルＡの内面となる方の表面にはアルミシート５を全面にわたって貼設することができる。アルミシート５は厚み２０〜５０μｍのアルミニウム製のシートを用いることができる。アルミシート５は上下の野地板１、２のうち、いずれか一方のみに設けてもよいし、両方に設けてもよいが、下側に配置する野地板２の内面となる上面にアルミシート５を貼設することが好ましい。また、上側の野地板１上にアスファルトルーフィング等の防水シートを介して屋根材を釘等の固定具により固定する際に、この固定具の先端部が上下の野地板１、２の間の空間６内に収まるようにすることで、屋根材を固定する固定具の周囲から雨水が漏水しても野地板２の存在によって小屋裏等に雨水が侵入するのを防止することができるものであり、特に、下側に配置する野地板２の内面となる上面にアルミシート５を貼設することで更に防水性が向上するものである。
【００２０】
補強材３としては木製の角材などを使用することができる。補強材３の寸法は所望の屋根下地パネルＡの大きさ等に応じて適宜設定可能であり、例えば、１８２０ｍｍ×９１０ｍｍの大きさの屋根下地パネルＡを形成する場合は、補強材３の幅３０ｍｍ、長さ９１０ｍｍ、高さ１５ｍｍとすることができる。尚、補強材３の幅は屋根下地パネルＡの長尺方向（１８２０ｍｍの方向）と平行な方向の寸法、補強材３の高さは屋根下地パネルＡの厚み方向の寸法である。また、補強材の高さ寸法は屋根下地パネルＡの断熱性能の確保のために１２ｍｍ以上にすることが好ましい。
【００２１】
そして、本発明の屋根下地パネルＡは、図１、２に示すように、上下一対の野地板１、２を対向して配置すると共にこれら野地板１、２の間に複数本の補強材３、３…を介在させて配置し、野地板１、２と補強材３とを釘やビスや接着剤などを用いて結合することによって形成することができる。野地板１、２と補強材３とを結合するにあたっては、釘とビスと接着剤を併用するのが好ましく、この場合、それぞれを単独で用いる場合に比べて剛性をアップすることができる。ここで、複数本の補強材３、３…は野地板１、２の長手方向に所定の間隔を介して並べて配置するが、複数本の補強材３、３…のうちの一部は、屋根下地パネルＡを垂木４の上に施工した際に垂木４の上に位置する垂木上補強材３ａ、３ａ…であり、他の一部は屋根下地パネルＡを垂木４の上に施工した際に垂木４の上に位置しない中間補強材３ｂ、３ｂ…である。屋根下地パネルＡを施工した際に垂木４の上に位置する垂木上補強材３ａ、３ａは３０３ｍｍ〜５００ｍｍ程度の間隔Ｐを介して並べられており、屋根下地パネルＡを施工した際に垂木４の上に位置しない中間補強材３ｂは隣接する補強材３ａ、３ａの略中間に位置している。例えば、長手寸法が１８２０ｍｍの屋根下地パネルＡの場合、屋根下地パネルＡを施工した際に垂木４の上に位置する補強材３ａと垂木４の上に位置しない補強材３ｂとを交互に約２２７．５ｍｍの間隔Ｑで８本並べて設けることができる。
【００２２】
本発明の屋根下地パネルＡを施工するにあたっては、次のようにして行う。まず、屋根下地パネルＡを垂木４の上に載置し、上側の野地板１の上面から垂木４の上に位置する垂木上補強材３ａと下側の野地板２とを貫通して垂木４にまで釘やビスなどの固定具を打ち込む。このとき、垂木４は新築の屋根の骨組みの場合の他に、既存建物の屋根の骨組みの垂木４であってもよい。既存屋根の垂木４の場合は既設の野地板を除去して既設の垂木４を露出させるようにする。また、屋根下地パネルＡは屋根の傾斜方向（軒棟方向）とこれに直交する方向とに複数枚並べて施工するが、この場合、図３に示すように、屋根の傾斜方向で隣接する屋根下地パネルＡ、Ａを屋根の傾斜方向と直交する方向において、全長の約半分ずつずらして千鳥で配設するようにしている。また、隅棟やケラバ等においては、屋根下地パネルＡの長手方向の端部が余って切断するが、この切断した端材８を反転するなどして他の箇所に配設して再利用することもできる。さらに、屋根下地パネルＡの上下の野地板１、２の間には空間６が形成されているが、屋根の傾斜方向で隣接する屋根下地パネルＡ、Ａの空間６を連通させることにより、屋根の軒から棟までに空気が流通可能な通気路を形成することができる。このようにして複数枚の屋根下地パネルＡ、Ａ…を並設して固定することにより、屋根下地を形成することができ、この屋根下地の上側の野地板１の上に多数枚の屋根材を葺設することにより屋根を形成することができるものである。
【００２３】
上記のような屋根下地パネルＡを用いて図４（ａ）に示すような寄せ棟屋根を形成する場合、隅棟部Ｂに位置する屋根下地パネルＡは図４（ｂ）のようにその側端部を斜めに切断するようにしているが、この場合に、切断端部において野地板１、２の間に補強材３が存在せず、強度が低下するおそれがある。強度低下する部分を符号Ｃで示す。そこで、図５（ａ）乃至（ｃ）に示す屋根下地パネルＡのように、上下の野地板１、２の軒側の端部間と棟側の端部間とに支持材７を設けることができる。この支持材７は補強材３の高さ寸法と同じ厚み寸法を有するものであり、また、多数の通気孔７ａ、７ａ…を有して通気性を備える。従って、屋根下地パネルＡの外部から軒側の支持材７を通して空間６に空気を導入したり、棟側の支持材７を通じて空間６内の空気を排出したりすることができる。支持材７としては、例えば、厚み１２ｍｍのプラスチック段ボールを用いることができる。その他の構成は上記実施の形態と同様である。
【００２４】
プラスチック段ボールとしては、図６（ａ）に示すように、一対の面材１０、１０の間に格子状の芯材１１を介在させて形成したものや、図６（ｂ）に示すように、一対の面材１０、１０の間に波板状の芯材１１を介在させて形成したものなどを例示することができる。そして、この屋根下地パネルＡを用いた場合は、その側端部を斜めに切断しても、切断後の屋根下地パネルＡの軒側端部と軒側端部とにおいて、上下の野地板１、２の間に支持材７が存在し、上下の野地板１、２を支持するので、強度が低下しないようにすることができる。
【００２５】
尚、従来では、屋根のメンテナンスや屋根材の葺き替えと同時に野地板の張り替えを行う場合は、屋内が開放されて青天井となり、施工中の降雨などが問題となるが、本発明の屋根下地パネルＡでは、屋根のメンテナンスの際に上側の野地板１のみを張り替えて下側の野地板２を張り替えないでそのままに使用することができ、屋内が開放されずに青天井とならず、施工中の降雨などが問題とならないようにすることができる。
【図面の簡単な説明】
【００２６】
【図１】本発明の実施の形態の一例を示す断面図である。
【図２】同上の（ａ）は平面図、（ｂ）は側面図、（ｃ）は正面図である。
【図３】同上の施工状態を示す概略の斜視図である。
【図４】同上の（ａ）は他の施工状態を示す概略の斜視図、（ｂ）は屋根下地パネルの斜視図である。
【図５】同上の他の実施の形態の一例を示し、（ａ）は平面図、（ｂ）は側面図、（ｃ）は正面図である。
【図６】同上のプラスチック段ボールの一例を示し、（ａ）（ｂ）は断面図である。
【図７】従来例を示す断面図である。
【図８】他の従来例を示す断面図である。
【符号の説明】
【００２７】
１  野地板
２  野地板
３  補強材
３ａ  垂木上補強材
３ｂ  中間補強材
４  垂木
５  アルミシート
６  空間
７  支持材
【図１】
0005179263.tif 000002
【図２】
0005179263.tif 000003
【図３】
0005179263.tif 000004
【図４】
0005179263.tif 000005
【図５】
0005179263.tif 000006
【図６】
0005179263.tif 000007
【図７】
0005179263.tif 000008
【図８】
0005179263.tif 000009